(57)【要約】  流体制御装置または回転バルブアクチュエータを回転バルブのバルブ軸へと接続するための装置が、ハウジング、レバー、ねじ山付きのコレット、ならびにハウジングによって保持された第一および第二のストッパを備えている。レバーが、ねじ山付きのコレットを収容する円筒形の部材を備えている。動作時、第一および第二のストッパが、第一および第二の位置の間のレバーの回転を制限し、バルブ軸の回転を制限する。組み立て時に、この装置は、ハウジングによって着脱可能に保持される第三のストッパをさらに備える。第三のストッパが、例えば第一のストッパと同時に第一の位置にあるレバーと係合し、レバーを回転に関して固定する。レバーが固定された状態で、技術者が、レバーを回転させることなくコレットを回転バルブのバルブ軸へと締め付け、および／または緩めるために、コレットに配置された引きナットに一般的に任意の量のトルクを加えることができる。【選択図】  図３
2010534309.tif 000002
【特許請求の範囲】
【請求項１】
回転バルブアクチュエータを回転バルブのバルブ軸へと接続するための装置であって、
回転バルブのバルブ軸の付近で回転バルブへと接続されるように構成されたハウジング、
第一の位置と第二の位置との間を回転変位するように前記ハウジングの内部に配置され、回転バルブのバルブ軸へと着脱可能に接続されるように構成されたレバー、および、
前記ハウジングによって保持され、前記レバーが第一の位置にあるときに前記レバーに係合し、前記レバーを前記第一の位置に固定して、第二の位置へと向かうレバーの回転を阻止する少なくとも１つのストッパ、
を備えている装置。
【請求項２】
前記レバーが、第一の位置にあるときに前記少なくとも１つのストッパが係合する第一の突起をさらに備えている、請求項１に記載の装置。
【請求項３】
前記少なくとも１つのストッパが、前記レバーが第一の位置にあるときに前記レバーに係合する第一のストッパおよび第二のストッパを含んでいる、請求項１に記載の装置。
【請求項４】
前記レバーが、第一の突起および第二の突起をさらに備えており、前記レバーが第一の位置にあるとき、前記第一のストッパが前記第一の突起に係合し、前記第二のストッパが前記第二の突起に係合している、請求項３に記載の装置。
【請求項５】
前記第一の突起が、前記第二の突起によって定められるロック面に対して約１８０度（１８０°）に向けられたストッパ面を定めている、請求項４に記載の装置。
【請求項６】
前記第一の突起が、前記第二の突起上のロック面に対して約９０度（９０°）に向けられたストッパ面を定めている、請求項４に記載の装置。
【請求項７】
前記少なくとも１つのストッパが、前記ハウジングに螺合した固定具を備えている、請求項１に記載の装置。
【請求項８】
前記少なくとも１つのストッパが、前記ハウジングの内部に着脱可能に配置されるブロックを備えている、請求項１に記載の装置。
【請求項９】
前記少なくとも１つのストッパが、クランプを備えている、請求項１に記載の装置。
【請求項１０】
前記少なくとも１つのストッパを、前記ハウジングへと着脱可能に取り付けることが可能となっている、請求項１に記載の装置。
【請求項１１】
前記レバーが第二の位置にあるときに前記レバーに係合する第三のストッパをさらに備えている、請求項３に記載の装置。
【請求項１２】
前記レバーによって保持され、前記レバーを回転バルブのバルブ軸へと動作可能に結合させるように構成されたコレットをさらに備えている、請求項１に記載の装置。
【請求項１３】
回転バルブアクチュエータを回転バルブのバルブ軸へと接続するための装置であって、
回転バルブのバルブ軸の付近で回転バルブへと接続されるように構成されたハウジング、
第一の位置と第二の位置との間を回転変位するように前記ハウジングの内部に配置され、本体部分と前記本体部分から延びる第一の突起とを備えているレバー、
前記レバーが第一の位置にあるときに前記レバーの前記第一の突起および前記ハウジングに係合するように配置され、前記レバーの第一の方向の回転変位を制限するように構成された第一のストッパ、および、
前記レバーが第一の位置にあるときに前記レバーおよび前記ハウジングに係合するように配置され、前記レバーの前記第一の方向とは反対の第二の方向の回転変位を制限するように構成された第二のストッパ、
を備えている装置。
【請求項１４】
前記第二のストッパが、前記レバーが第一の位置にあるときに前記第一の突起と係合している、請求項１３に記載の装置。
【請求項１５】
前記レバーが、前記本体部分から延びる第二の突起をさらに備えており、前記第二のストッパが、前記レバーが第一の位置にあるときに前記第二の突起と係合している、請求項１３に記載の装置。
【請求項１６】
前記第一の突起が、前記第二の突起によって定められるロック面に対して約１８０度（１８０°）に向けられたストッパ面を定めている、請求項１５に記載の装置。
【請求項１７】
前記第一の突起が、前記第二の突起のロック面に対して約９０度（９０°）に向けられたストッパ面を定めている、請求項１５に記載の装置。
【請求項１８】
前記第一のストッパおよび前記第二のストッパの少なくとも一方が、前記ハウジングに螺合した固定具を備えている、請求項１３に記載の装置。
【請求項１９】
前記固定具が、ねじ山付きのボルトを備えている、請求項１８に記載の装置。
【請求項２０】
前記第一のストッパおよび前記第二のストッパの少なくとも一方が、前記ハウジングの内部に着脱可能に配置されるブロックを備えている、請求項１３に記載の装置。
【請求項２１】
前記第一のストッパおよび前記第二のストッパの少なくとも一方が、クランプを備えている、請求項１３に記載の装置。
【請求項２２】
前記第一のストッパおよび前記第二のストッパの少なくとも一方を、前記ハウジングへと着脱可能に取り付けることが可能となっている、請求項１３に記載の装置。
【請求項２３】
前記レバーが第二の位置にあるときに前記レバーおよび前記ハウジングに係合するように配置され、前記レバーの前記第二の方向の回転変位を制限するように構成された第三のストッパをさらに備えている、請求項１３に記載の装置。
【請求項２４】
前記レバーが、前記本体部分から延びているヨークをさらに備えており、前記ヨークが、前記レバーをアクチュエータ棒へと作動可能に接続するように構成され、前記第二のストッパが、前記レバーが第一の位置にあるときに前記ヨークに係合するように配置され、前記レバーの前記第二の方向の回転を制限している、請求項１３に記載の装置。
【請求項２５】
前記レバーによって保持され、前記レバーを回転バルブのバルブ軸へと動作可能に結合させるように構成されたコレットをさらに備えている、請求項１３に記載の装置。
【請求項２６】
回転バルブアクチュエータを回転バルブのバルブ軸へと接続するための装置であって、
回転バルブのバルブ軸の付近で回転バルブへと接続されるように構成されたハウジング、
前記ハウジングの内部に配置され、第一の位置へと第一の方向に回転変位し、第二の位置へと第二の方向に回転変位するように構成されており、前記第一の方向を向いた第一の面と、前記第二の方向を向いた第二の面とを備えているレバーであって、前記第一および第二の面が当該レバーから遠ざかるように放射状に広がっているレバー、
前記ハウジングによって保持され、前記レバーが前記第一の位置にあるときに前記第一の面に接触する第一のストッパ、および、
前記ハウジングによって保持され、前記レバーが前記第一の位置にあるときに前記第二の面に接触する第二のストッパを備えている装置。
【請求項２７】
前記レバーが、前記第一および第二の面を保持する少なくとも１つの突起を備えている、請求項２６に記載の装置。
【請求項２８】
前記レバーが、前記第一の面を保持する第一の突起および前記第二の面を保持する第二の突起を備えている、請求項２６に記載の装置。
【請求項２９】
前記第一の面が、前記第二の面に対して約１８０度（１８０°）に向けられている、請求項２８に記載の装置。
【請求項３０】
前記第一の面が、前記第二の面に対して約９０度（９０°）に向けられている、請求項２８に記載の装置。
【請求項３１】
前記第一のストッパおよび前記第二のストッパの少なくとも一方が、前記ハウジングに螺合した固定具を備えている、請求項２６に記載の装置。
【請求項３２】
前記固定具が、ねじ山付きのボルトを備えている、請求項３１に記載の装置。
【請求項３３】
前記第一のストッパおよび前記第二のストッパの少なくとも一方が、前記ハウジングの内部に着脱可能に配置されるブロックを備えている、請求項３１に記載の装置。
【請求項３４】
前記第一のストッパおよび前記第二のストッパの少なくとも一方が、クランプを備えている、請求項２６に記載の装置。
【請求項３５】
前記第一のストッパおよび前記第二のストッパの少なくとも一方を、前記ハウジングへと着脱可能に取り付けることが可能となっている、請求項２６に記載の装置。
【請求項３６】
前記ハウジングによって保持され、前記レバーが前記第二の位置にあるときに前記レバーに係合する第三のストッパをさらに備えている、請求項２６に記載の装置。
【請求項３７】
前記レバーが、前記レバーをアクチュエータ棒へと作動可能に接続するように構成されたヨークをさらに備えており、前記第二の面が、前記ヨークによって保持されている、請求項２７に記載の装置。
【請求項３８】
前記レバーによって保持され、前記レバーを回転バルブのバルブ軸へと動作可能に結合させるように構成されたコレットをさらに備えている、請求項２６に記載の装置。
【請求項３９】
制御要素とバルブ軸とを有している回転バルブ、
前記回転バルブのバルブ軸の付近で前記回転バルブへと接続されるように構成されたハウジング、
前記ハウジングの内部に配置され、前記回転バルブのバルブ軸へと接続され、前記制御要素を回転させるべく第一の位置と第二の位置との間を前記ハウジングに対して回転できるレバー、
前記レバーが前記第一の位置にあるときに前記レバーおよび前記ハウジングに係合し、前記レバーの第一の方向の回転変位を制限するように構成された第一のストッパ、および、
前記レバーが前記第一の位置にあるときに前記レバーおよび前記ハウジングに係合し、前記レバーの第一の方向とは反対の第二の方向の回転変位を制限するように構成された第二のストッパを備えている、流体制御装置。
【請求項４０】
前記レバーが、第一の放射状の突起を備えており、前記第二のストッパが、前記レバーが前記第一の位置にあるときに前記第一の放射状の突起に係合している、請求項３９に記載の装置。
【請求項４１】
前記レバーが、第二の放射状の突起をさらに備えており、前記第二のストッパが、前記レバーが前記第一の位置にあるときに前記第二の放射状の突起に係合している、請求項４０に記載の装置。
【請求項４２】
前記第一の放射状の突起が、前記第二の放射状の突起によって保持されたロック面に対して約１８０度（１８０°）に向けられたストッパ面を保持している、請求項４１に記載の装置。
【請求項４３】
前記第一の放射状の突起が、前記第二の放射状の突起によって保持されたロック面に対して約９０度（９０°）に向けられたストッパ面を保持している、請求項４１に記載の装置。
【請求項４４】
前記第一のストッパおよび前記第二のストッパの少なくとも一方が、前記ハウジングに螺合した固定具を備えている、請求項３９に記載の装置。
【請求項４５】
前記第一のストッパおよび前記第二のストッパの少なくとも一方を、前記ハウジングへと着脱可能に取り付けることが可能となっている、請求項３９に記載の装置。
【請求項４６】
前記レバーが前記第二の位置にあるときに前記レバーおよび前記ハウジングに係合する第三のストッパをさらに備えており、前記第三のストッパが、前記レバーの前記第二の方向の回転変位を制限するように構成されている、請求項３９に記載の装置。
【請求項４７】
前記レバーと前記バルブ軸との間に保持され、前記レバーを前記バルブ軸へと結合させるコレットをさらに備えている、請求項３９に記載の装置。
【発明の詳細な説明】
【技術分野】
【０００１】
本発明は、回転バルブアクチュエータに関し、さらに詳しくは、回転バルブアクチュエータを回転バルブへと接続するように構成されたコレットを有している回転バルブアクチュエータに関する。
【背景技術】
【０００２】
図１および２が、回転バルブアクチュエータ１００の一変種を示している。回転バルブアクチュエータ１００は、一般には、ハウジング１０２および駆動アセンブリ１０４を備えている。図１においては、説明の目的のために、ハウジング１０２の一部が除去されて、駆動アセンブリ１０４が露出されており、駆動アセンブリ１０４は、部分切断の断面図にて示されている。さらに詳しく後述されるとおり、駆動アセンブリは、ダイアフラムサブアセンブリ１１０およびレバー１２２を備えている。レバー１２２が、概略的に描かれており比例尺でない回転バルブ１０１の回転バルブ軸１３８へとつながるように構成されている。
【０００３】
一般に、ダイアフラムサブアセンブリ１１０は、レバー１２２を、例えば図１および２Ａに示されている第一の位置（または、「上方」位置）と、図２Ｂに示されている第二の位置（または、「下方」位置）との間で、回転変位させるように構成されている。したがって、レバー１２２は、ハウジング１０２内で双方向に回転変位するように構成されている。
【０００４】
さらに具体的には、ハウジング１０２が、中央本体部１０６ならびに一対の対向するカバー板１０８ａ，１０８ｂを備えている。図２に示されるとおり、ハウジング１０２は、第一のねじ穴１４４ａおよび第二のねじ穴１４４ｂも定めている。第一のねじ穴１４４ａが、上方移動ストッパ１４６を収容し、第二のねじ穴１４４ｂが、下方移動ストッパ１４８を収容する。上方移動ストッパ１４６および下方移動ストッパ１４８は、それぞれのねじ穴１４４ａ，１４４ｂにねじ込まれたボルトを備えている。さらに、図示のとおり、上方移動ストッパ１４６および下方移動ストッパ１４８は、それぞれロックナット１４６ａ，１４８ａを備えている。ロックナット１４６ａ，１４８ａは、ハウジング１０２内への適度な量の突き出しを保証するためにボルト上に配置されている。
【０００５】
再び図1を参照すると、駆動アセンブリ１０４は、上述のダイアフラムサブアセンブリ１１０と、レバーサブアセンブリ１１２とを備えている。ダイアフラムサブアセンブリ１１０は、ダイアフラム１１６、ダイアフラム棒１１８、および一対のばね１１９を収容する上部ハウジング１１４を備えている。ダイアフラム１１６が、ダイアフラム棒１１８へと作動可能に接続されている。ばね１１９が、ダイアフラム１１６（したがって、ダイアフラム棒１１８）を上方に、図１および２Ａに示されている第一の位置へと付勢している。動作時、ハウジング１１４内およびダイアフラム１１６をまたぐ圧力が変化することで、ダイアフラム棒１１８が、ばね１１９の付勢に逆らって下方へと動かされる。その結果、ダイアフラム棒１１８が、駆動アセンブリ１０４を動作させる。
【０００６】
駆動アセンブリ１０４は、レバー１２２、コレット１２４、および引きナット１２５を備えている。レバー１２２は、円筒形の本体部１２６、ヨーク部１２８（図２Ａおよび２Ｂによりわかりやすく示されている）、およびストッパボス１４０（やはり図２Ａおよび２Ｂに示されている）を備えている。ヨーク部１２８は、本体部１２６から遠ざかるように放射状に延びている一対のヨークレッグ１２８ａ（図１に示されている）を備えている。ダイアフラムサブアセンブリ１１０のダイアフラム棒１１８が、ヨークレッグ１２８ａの間に配置され、ナットおよびボルトからなるアセンブリ１４２によってヨークレッグ１２８ａに作動可能に接続されている。ストッパボス１４０は、やはりレバー１２２の本体部１２６から遠ざかるように放射状に延びている突起を備えている。レバー１２２の本体部１２６は、おおむね円柱形の中央部１２６ａと第一および第二の受け入れ部１２９ａ，１２９ｂとで少なくとも部分的に定められている穴１２７（図１において特定されている）を備えている。受け入れ部１２９ａ，１２９ｂは、レバー１２２のおおむね円錐台形状の内表面を定めている。
【０００７】
コレット１２４は、レバー１２２の本体部１２６の穴１２７に配置されたおおむね棒状の部材である。コレット１２４は、複数のコレットフィンガ１３４と、ねじ山部１３６とを備えている。引きナット１２５が、さらに後述されるとおりに、コレット１２４をレバー１２２内に固定するために、ねじ山部１３６に螺合する。コレットフィンガ１３４は、外表面１３４ａおよび内表面１３４ｂを有している。外表面１３４ａは、レバー１２２の受け入れ部１２９ａにスライドして係合するような形状および構成を有している。内表面１３４ｂは、図１に示されているように、コレットフィンガ１３４の間に配置され、取り付けヨーク１５０によって支持される回転バルブ軸１３８と係合するような形状および構成を有している。図１において、レバー１２２およびコレット１２４は、アクチュエータ１００が図１のアクチュエータ１００の左側に描かれている第一のカバー板１０８ａを貫いて軸１３８を受け入れるように向けられている。しかしながら、レバー１２２およびコレット１２４ならびに取り付けヨーク１５０を、反転させることも可能であり、それによりアクチュエータ１００を図１の右側に描かれている第二のカバー板１０８ｂを貫いて軸１３８を受け入れるように構成できる。
【０００８】
組み立ての際には、ダイアフラムサブアセンブリ１１０のばね１１９が、当然ながらダイアフラム棒１１８を上方に付勢し、レバー１２２を図２Ａに示されている第一の位置に位置させる。次いで、アクチュエータ１００をバルブ軸１３８へと接続するために、技術者は、最初にバルブ軸１３８を取り付けヨーク１５０に通し、コレット１２４のコレットフィンガ１３４の間に位置させる。次いで、技術者は、レンチ、ソケット、または他の工具で、引きナット１２５をコレット１２４のねじ山部１３６へと締め付ける。例えば、レンチが、引きナット１２５を例えば図２Ａの向きに関して時計方向に係合および回転させるために使用される。再び図１に戻ると、引きナット１２５がコレット１２４へと締め付けられるにつれて、コレット１２４が、図１の向きに関して右方へと引かれる。しかしながら、レバー１２２は、第二のカバー板１０８ｂに当接し、したがって軸方向の変位に関して実質的に固定される。その結果、コレット１２４が、レバー１２２の穴１２７内で変位する。コレット１２４がレバー１２２を貫いて変位するとき、レバー１２２の第一の受け入れ部１２９ａとコレットフィンガ１３４の外表面１３４ａとの間のスライド係合により、コレットフィンガ１３４が半径方向内側へと変位させられ、第一の受け入れ部１２９ａとバルブ軸１３８との間に摩擦を伴って食い込む。さらに引きナット１２５を締めることで、コレット１２４がさらに変位させられてコレットフィンガ１３４をさらに食い込ませ、バルブ軸１３８を駆動アセンブリ１０４へと堅固に結合させる。
【０００９】
上述のように、使用時に、ダイアフラム棒１１８が、上部ハウジング１１４内の圧力の変化に応答して上下に移動する。このダイアフラム棒１１８の直線移動が、当該ダイアフラム棒１１８とヨーク１２８との間の接続を介して、レバー１２２の回転変位へと変換される。図１および２Ａが、最高の移動位置、すなわち第一または「上方」位置に位置したダイアフラム棒１１８を示している。このように位置するとき、レバー１２２のストッパボス１４０が、図２Ａに示されるとおり上方移動ストッパ１４６に係合し、図２の向きに関する反時計方向のレバー１２２の回転変位を制限する。このように、上方移動ストッパ１４６が、ダイアフラム棒１１８の上方移動およびレバー１２２の回転変位を制限し、隣接している回転バルブ１０１の動作を制御し、および／またはアクチュエータ１００の全体の性能を制御すべくダイアフラムサブアセンブリ１１０のばね１１９が常に圧縮下にあるように保証する。
【００１０】
一方で、ダイアフラムサブアセンブリ１１０の上部ハウジング１１４内の圧力が、ダイアフラム棒１１８をハウジング１０２へと下方に移動させるように変化するとき、レバー１２２が、図２Ａおよび２Ｂの向きに関して時計方向に回転する。図２Ｂに示されているとおり、下方移動ストッパ１４８が、レバー１２２が第二の位置に達するときに、ヨーク１２８に係合することによってレバー１２２の時計方向の回転を制限する。具体的には、ヨーク１２８のヨークレッグ１２８ａの一方または両方が、第二の位置において下方移動ストッパ１４８に係合する。結果として、この係合により、レバー１２２の回転変位およびダイアフラム棒１１８の下方移動が制限されることで、隣接している回転バルブ１０１の動作が制御され、および／またはアクチュエータ１００の全体の制御された動作が保証される。
【００１１】
上述の構成は、このような回転バルブ軸１３８をこのようなアクチュエータ１００へと接続するために効果的に機能するが、いくつかの非効率的な点も抱えている。例えば、上述のやり方で引きナット１２５をコレット１２４へと締め込むとき、技術者のレンチによって生み出されるトルクで、レバー１２２が、ばね１１９の付勢に逆らって、第一の位置から、図２の向きに関して時計方向に変位する可能性がある。その結果、技術者が、ばね１１９がレバー１２２の途中までの回転を可能にするしきい値量のトルクの印加のもとで圧縮される反発作用に直面する可能性がある。トルクが減るにつれ、ばね１１９がレバー１２２を第一の位置へと戻るように回転させる。したがって、引きナット１２５の締め付けにおいて加えることができるトルクの量が、ばね１１９を圧縮するために必要とされるしきい値力によって制限される。
【００１２】
さらに、上述のように、コレット１２４を、取り付けヨーク１５０およびバルブ軸１３８を図１の向きに関してアクチュエータ１００の右側に位置する第二のカバー板１０８ｂを貫いて受け入れるように、反転させることが可能である。そのように構成されたとき、技術者が引きナット１２５をコレット１２４へと締め付けるときに、レンチによって生み出されるトルクによって、レバー１２２のストッパボス１４０が上方移動ストッパ１４６に係合するように駆動されると考えられる。結果として、引きナット１２５の締め付け時に加えられるトルクが、この構成においては、ばね１１９によって制限されることがなく、引きナット１２５を、一般的に任意の所望の量だけ締めることができる。
【００１３】
しかしながら、この構成において、技術者が引きナット１２５をコレット１２４から緩めるべくトルクを加えると、このトルクによってレバー１２２がばね１１９の付勢に逆らって回転し、上述の締め付けの筋書きと同様の反発作用が生じる可能性がある。その結果、引きナット１２５を緩めるために加えられるトルクの量が、ばね１１９の圧縮によって制限されるために、引きナット１２５をコレット１２４から取り除くことが不可能になりかねない。
【発明の概要】
【課題を解決するための手段】
【００１４】
本発明は、回転バルブアクチュエータを回転バルブのバルブ軸へと接続するための装置を提供する。この装置の一実施の形態は、ハウジング、レバー、ねじ山付きのコレット、第一のストッパ（止め具、ストップ）、および第二のストッパを備える。ハウジングが、回転バルブのバルブ軸の付近で回転バルブへと接続されるように構成される。レバーが、ねじ山付きのコレットを収容するとともに、第一の位置と第二の位置との間を回転変位するようにハウジングの内部に配置される。さらに、レバーは、本体部および本体部から延びる第一の突起を備える。第一のストッパが、ハウジングによって保持されており、レバーが第一の位置にあるときにレバーの第一の突起と係合することで、レバーの回転変位を制限するように構成されている。第二のストッパも、ハウジングによって保持されており、レバーが第一の位置にあるときにレバーと係合することで、レバーの第二の方向の回転変位を制限し、レバーを第一のストッパに対して固定するように構成されている。このようなやり方でレバーを固定した状態で、技術者は、レバーにおいてねじ山付きのコレットを締め付け、および／または緩めて、レバーをバルブ軸に対して着脱するために、トルクを加えることができる。
【００１５】
一実施の形態においては、この装置が、本体部から延びる第二の突起をさらに備え、前記第二のストッパが、第二の突起に係合して、レバーを第一の位置に固定するように構成される。
【００１６】
少なくとも１つの実施の形態によれば、第一の突起が、第一のストッパが係合するように構成されたストッパ面を定め、このストッパ面が、第二の突起によって定められ、第二のストッパが係合するように構成されたロック面に対して約１８０度（１８０°）に向けられる。
【００１７】
別の一実施の形態においては、第一の突起が、第二の突起のロック面に対して約９０度（９０°）に向けられたストッパ面を定めている。
【００１８】
別の実施の形態においては、第一のストッパおよび第二のストッパの少なくとも一方が、ハウジングに螺合した固定具を備えている。そのように構成されて、固定具は、ねじ山付きのボルトを備えることができる。
【００１９】
さらに別の実施の形態においては、第一のストッパおよび第二のストッパの少なくとも一方が、ハウジングの内部に着脱可能に配置されるブロックを備えている。
【００２０】
またさらなる実施の形態においては、第一のストッパおよび第二のストッパの少なくとも一方が、ハウジングおよびレバーへと着脱可能に固定されるクランプを備えている。
【００２１】
さらに別の代案の実施の形態においては、前記装置が、レバーが第二の位置にあるときにレバーに係合するように構成された第三のストッパをさらに備えることができる。そのように構成されて、第三のストッパは、レバーの第二の方向の回転変位を制限することができる。
【図面の簡単な説明】
【００２２】
【図１】概略的に描かれており、比例尺ではない回転バルブへと接続された公知の回転バルブアクチュエータの部分切断の側面断面図である。
【図２Ａ】図１の線ＩＩ−ＩＩの視点から得た図１の回転バルブアクチュエータの概略の側面図であり、第一の位置にあるレバーを示すためにカバー板が除かれている。
【図２Ｂ】図１の線ＩＩ−ＩＩの視点から得た図１の回転バルブアクチュエータの概略の側面図であり、第二の位置にあるレバーを示すためにカバー板が除かれている。
【図３】本発明の第一の実施の形態による固定装置を備えている回転バルブアクチュエータの概略の側面図である。
【図４】本発明の第二の実施の形態による固定装置を備えている回転バルブアクチュエータの概略の側面図である。
【図５】本発明の第三の実施の形態による固定装置を備えている回転バルブアクチュエータの概略の側面図である。
【図６】本発明の第四の実施の形態による固定装置を備えている回転バルブアクチュエータの概略の側面図である。
【図７】本発明の第五の実施の形態による固定装置を備えている回転バルブアクチュエータの概略の側面図である。
【図８】本発明の第六の実施の形態による固定装置を備えている回転バルブアクチュエータの概略の側面図である。
【発明を実施するための形態】
【００２３】
図３は、本発明の原理に従って構成され、例えば図１に示した回転バルブ１０１へと接続されるように構成された回転バルブアクチュエータ３００の第一の実施の形態の側面図を示している。回転バルブアクチュエータ３００が、その一部として、ハウジング３０２および駆動アセンブリ３０４を備えている。駆動アセンブリ３０４は、レバーサブアセンブリ３１２を備えており、ダイアフラムサブアセンブリ（例えば、上述および図１に図示したダイアフラムサブアセンブリ１１０と同様であってよい）のダイアフラム棒３１８へと作動可能に接続されるように構成されている。
【００２４】
ハウジング３０２が、第一のねじ穴３４４ａ、第二のねじ穴３４４ｂ、および第三のねじ穴３４４ｃを定めている。第一のねじ穴３４４ａが、上方移動ストッパ３４６を保持する。第二のねじ穴３４４ｂが、上方移動ストッパ３４８を保持する。第三のねじ穴３４４ｃが、ロックストッパ３４７を保持する。図示の実施の形態においては、上方移動ストッパ３４６および下方移動ストッパ３４８が、図１，２Ａ，および２Ｂに関して上述した上方移動ストッパ１４６および下方移動ストッパ１４８と同一である。しかしながら、ロックストッパ３４７は、単に第三のねじ穴３４４ｃを貫いて螺合したボルトを備えている。
【００２５】
回転アクチュエータ３００のレバーサブアセンブリ３１２は、レバー３２２およびコレット３２４を備えている。レバー３２２は、本体部３２６、ヨーク３２８、ストッパボス３４０、およびロックボス３５２を備えている。本体部３２６は、図１，２Ａ，および２Ｂに示したコレット１２４に関して、上述したやり方と同一のやり方でコレット３２４を保持するためのおおむね円筒形の部材を備えている。したがって、図３に示したコレット３２４も、図１，２Ａ，および２Ｂに関して上述したやり方と同一のやり方で、コレット３２４を例えば図１の回転バルブ１０１のバルブ軸１３８に係合するように締め付けるための引きナット３２５を備えている。
【００２６】
ヨーク部３２８が、一対のヨークレッグ３２８ａを備えている。ヨークレッグ３２８ａは、レバー３２２の本体部３２６から遠ざかるように放射状に延びている突起を備えている。ヨークレッグ３２８ａが、図１および２に関して上述した内容と同様に、レバー３２２をダイアフラム棒３１８へと作動可能に接続するためのボルト342を受け入れる。ストッパボス３４０およびロックボス３５２も、レバー３２２の本体部３２６から遠ざかるように放射状に延びている突起を備えている。ストッパボス３４０が、ストッパ面３４０ａを定め、ロックボス３５２が、ロック面３５２ａを定めている。ストッパボス３４０のストッパ面３４０ａが、図３において参照矢印Ａ１によって示されているレバー３２２の第一の回転方向を向いている。ロックボス３５２のロック面３５２ａが、図３において参照矢印Ａ２によって示されているレバー３２２の第二の回転方向を向いている。第一の回転方向Ａ１は、第二の回転方向Ａ２と反対である。図３に示した実施の形態においては、ストッパボス３４０のストッパ面３４０ａが、ロックボス３５２のロック面３５２ａからほぼ１８０度（１８０°）に向けられている。一実施の形態においては、ヨーク３２８、ストッパボス３４０、およびロックボス３５２が、鋳造プロセスまたは何らかの同様の製造プロセスによって、レバー３１２と一体に形成される。他の実施の形態においては、ヨーク３２８、ストッパボス３４０、およびロックボス３５２を、レバー３１２とは別に形成し、その後に溶接または他の何らかのプロセスによってレバー３１２と取り付けることができる。
【００２７】
図３に示されているとおり、上方移動ストッパ３２６が、レバー３２２が第一の位置にあるときにストッパボス３４０のストッパ面３４０ａに係合する。さらに、ロックストッパ３４７が、レバーが第一の位置にあるときにロックボス３５２のロック面３５２ａに係合する。したがって、上方移動ストッパ３４６およびロックストッパ３４７が、レバー３２２の第一の位置からの回転変位を阻止する。このようなやり方でレバー３２２が固定された状態で、技術者は、レバー３２２に回転変位を生じさせることなく引きナット３２５を締め付け、および／または緩めるために、一般的に任意の量のトルクを加えることができる。
【００２８】
しかしながら、アクチュエータ３００の動作時には、レバー３２２が図１および２に示したアクチュエータ１００に関して上述したようにダイアフラム棒３１８の移動に応答して回転できるよう、ロックストッパ３４７がハウジング３０２の第三のねじ穴３４４ｃから取り除かれる。あるいは、ロックストッパ３４７を、レバー３２２の回転を可能にする充分な量だけ、レバー３２２のロックボス３５２に係合せぬように後退させるが、依然として第三のねじ穴３４４ｃに途中まで螺合させておいてもよい。他の代案の実施の形態においては、ロックストッパ３４７および下方移動ストッパ３４８が、同じねじボルトを構成してもよい。例えば、アクチュエータ３００の使用時には、ボルト３４７，３４８をハウジング３０２の第二のねじ穴３４４ｂに配置し、レバー３２２が第二の位置へと回転するときにヨーク３２８がボルト３４７，３４８に係合するように、下方移動ストッパ３４８として機能させることができる。一方で、技術者が引きナット３２５を締め付け、および／または緩める必要がある場合には、ボルト３４７，３４８を第二のねじ穴３４４ｂから取り除き、第三のねじ穴３４４ｃに螺合させ、レバー３２２が第一の位置にあるときにロックストッパ３４７として機能するようにロックボス３５２に係合させることができる。
【００２９】
図４が、本発明の原理に従って構成された回転バルブアクチュエータ４００の別の実施の形態の側面図を示している。回転バルブアクチュエータ４００が、その一部として、ハウジング４０２および駆動アセンブリ４０４を備えている。駆動アセンブリ４０４は、図１〜２に関して上述したやり方と同一のやり方でダイアフラムサブアセンブリ（図示されていない）のダイアフラム棒４１８へと作動可能に接続されるように構成されたレバーサブアセンブリ４１２を備えている。レバーサブアセンブリ４１２は、図３に関して上述したレバーサブアセンブリ３１２と同一である。具体的には、レバーサブアセンブリ４１２は、レバー４２２、コレット４２４、および引きナット４２５を備えている。レバー４１２は、本体部４２６、ヨーク４２８、ストッパ面４４０ａを定めている上方ストッパボス４４０、およびロック面４５２ａを定めているロックボス４５２を備えている。
【００３０】
ハウジング４０２も、当該ハウジング４０２が第一のねじ穴４４４ａおよび第二のねじ穴４４４ｂのみを定めている点を除き、図３に関して上述したハウジング３０２と同一である。第一のねじ穴４４４ａが、上方移動ストッパ４４６を収容し、第二のねじ穴４４４ｂが、下方移動ストッパ４４８を収容する。上方移動ストッパ４４６および下方移動ストッパ４４８は、図１〜３に関して上述した上方移動ストッパ１４６，３４６および下方移動ストッパ１４８，３４８と同一である。
【００３１】
さらに、図４に示したアクチュエータ４００は、ストッパブロック４４７を備えている。ストッパブロック４４７は、金属、プラスチック、木材、などといった実質的に剛性の材料で作られたブロックを含んでいる。ストッパブロック４４７は、ハウジング４０２内に、図示のとおりレバー４２２が第一の位置にあるときにロックボス４５２のロック面４５２ａに係合するように、着脱可能に配置される。
【００３２】
このように構成され、上方移動ストッパ４４６およびストッパブロック４４７が、レバー４２２を第一の位置からの回転変位に関して固定する。このやり方でレバー４２２を固定した状態で、技術者は、レバー４２２に回転変位を生じさせることなく引きナット４２５を締め付け、および／または緩めるために、一般的に任意の量のトルクを加えることができる。
【００３３】
しかしながら、アクチュエータ４００の動作時には、レバー４２２が図１および２に示したアクチュエータ１００に関して上述したようにダイアフラム棒４１８の直線移動につれて第一および第二の位置の間を回転できるよう、ストッパブロック４４７がハウジング４０２から取り除かれる。
【００３４】
図５が、本発明の原理に従って構成された回転バルブアクチュエータ５００のさらに別の実施の形態の側面図を示している。回転バルブアクチュエータ５００が、その一部として、ハウジング５０２および駆動アセンブリ５０４を備えている。駆動アセンブリ５０４は、図１〜２に関して上述したやり方と同一のやり方でダイアフラムサブアセンブリ（図示されていない）のダイアフラム棒５１８へと作動可能に接続されるように構成されたレバーサブアセンブリ５１２を備えている。レバーサブアセンブリ５１２は、レバー５２２、コレット５２４、および引きナット５２５を備えている。レバー５２２は、本体部５２６、ヨーク５２８、ストッパ面５４０ａを定めている上方ストッパボス５４０、およびロック面５５２ａを定めているロックボス５５２を備えている。図５のレバーアセンブリと、図３および４に関して上述したレバーサブアセンブリ３１２，４１２との間の差異は、上方ストッパボス５４０のストッパ面５４０ａが、ロックボス５５２のロック面５５２ａからおおよそ９０度（９０°）に配置されている点にある。しかしながら、上述したレバーサブアセンブリ３１２，４１２と同様に、ストッパボス５４０のストッパ面５４０ａは、図５に矢印Ａ１で示されているレバー５２２の第一の回転方向を向いている。ロックボス５５２のロック面５５２ａは、図５に矢印Ａ２で示されているレバー５２２の第二の回転方向を向いている。第一の回転方向Ａ１は、第二の回転方向Ａ２と反対である。
【００３５】
図５に示した実施の形態のハウジング５０２は、当該ハウジング５０２が第一のねじ穴５４４ａ、第二のねじ穴５４４ｂ、および第三のねじ穴５４４ｃを定めている点で、図３に関して上述したハウジング３０２と実質的に同一である。第一および第二のねじ穴５４４ａ，５４４ｂが、図３に示したハウジング３０２の第一および第二のねじ穴３４４ａ，３４４ｂと同じく、ハウジング５０２の底部に配置されている。しかしながら、図５のハウジングの第三のねじ穴５４４ｃは、図５の向きに関してハウジング５０２の側面を貫いて配置されている。
【００３６】
このように構成されて、第一のねじ穴５４４ａが、上方移動ストッパ５４６を収容し、第二のねじ穴５４４ｂが、下方移動ストッパ５４８を収容する。これは、図３および４に関して上述したアクチュエータ３００，４００と実質的に同一である。上方移動ストッパ５４６および下方移動ストッパ５４８は、図１〜４に関して上述した上方移動ストッパ１４６，３４６，４４６および下方移動ストッパ１４８，３４８，４４８と実質的に同一である。
【００３７】
さらに、アクチュエータ５００は、第三のねじ穴５４４ｃに配置されたロックストッパ５４７を備えている。ロックストッパ５４７は、図５の実施の形態に示されているロックストッパ５４７が大幅に長く、ロックナットを備えていない点を除き、上方移動ストッパ５４６および下方移動ストッパ５４８のねじ山付きのボルトと同様のねじ山付きのボルトを備えている。しかしながら、別の実施の形態においては、ロックストッパ５４７が上方移動ストッパ５４６および下方移動ストッパ５４８のいずれかまたは両方と同じ長さであり、あるいはより短くてもよいように、アクチュエータ５００を、別の設計および構成とすることも可能である。
【００３８】
このようにして、図示のとおり、レバー５２２が第一の位置にあるとき、上方移動ストッパ５４６が、ストッパボス５４０のストッパ面５４０ａに係合し、ロックストッパ５４７が、ロックボス５５２のロック面５５２ａに係合する。したがって、上方移動ストッパ５４６およびロックストッパ５４７が、レバー５２２を、第一の位置からの回転変位に関して固定する。このやり方でレバー５２２が固定された状態で、技術者は、レバー５２２を回転させることなく引きナット５２５を締め付け、および／または緩めるために、一般的に任意の量のトルクを加えることができる。
【００３９】
一方で、アクチュエータ５００の動作時には、図１および２に示したアクチュエータ１００に関して上述したように、レバー５２２がダイアフラム棒５１８の直線移動に応答して回転できるよう、ロックストッパ５４７がハウジング５０２から取り除かれる。別の実施の形態においては、ロックストッパ５４７を、単純にレバー５２２が回転するときのレバー５２２との干渉を防止するために充分な量だけ第三のねじ穴５４４ｃから後退させるだけでよい。
【００４０】
図６が、本発明の原理に従って構成された回転バルブアクチュエータ６００のさらに別の実施の形態の側面図を示している。回転バルブアクチュエータ６００が、その一部として、ハウジング６０２および駆動アセンブリ６０４を備えている。駆動アセンブリ６０４は、図１〜２に関して上述したやり方と同一のやり方でダイアフラムサブアセンブリ（図示されていない）のダイアフラム棒６１８へと作動可能に接続されるように構成されたレバーサブアセンブリ６１２を備えている。レバーサブアセンブリ６１２は、上述および図１および２に示したレバーサブアセンブリ１１２と同一である。具体的には、レバーサブアセンブリ６１２は、レバー６２２、コレット６２４、および引きナット６２５を備えている。レバー６２２は、本体部６２６、ヨーク６２８、およびストッパ面６４０ａを定めている上方ストッパボス６４０を備えている。
【００４１】
ハウジング６０２も、当該ハウジング６０２が第一のねじ穴６４４ａおよび第二のねじ穴６４４ｂを定めている点で、図１および２に関して上述したハウジング１０２と同一である。第一のねじ穴６４４ａが、上方移動ストッパ６４６を保持し、第二のねじ穴が、下方移動ストッパ６４８を保持する。上方移動ストッパ６４６および下方移動ストッパ６４８は、ねじ山付きのボルトを備えている。上方移動ストッパ６４６は、図１〜５に関して上述した上方移動ストッパ１４６，３４６，４４６，５４６と同一である。下方移動ストッパ６４８は、図６に示した実施の形態の下方移動ストッパ６４８が大幅に長さの長いボルトを備えている点を除き、図１〜５に関して上述した下方移動ストッパ１４８，３４８，４４８，５４８に類似している。
【００４２】
したがって、図６に想像線で示されているように、下方移動ストッパ６４８を、レバー６２２が第一の位置にあるときにレバー６２２のヨーク６２８に係合するように、ハウジング６０２へとねじ込むことができる。そのように構成されて、下方移動ストッパ６４８が、レバー６２２のストッパボス６４０を上方移動ストッパ６４６に係合した状態に固定し、レバー622が第一の位置から回転しないようにする。このようにしてレバー６２２を固定し、技術者は、レバー６２２を動かすことなく引きナット６２５を締め付け、および／または緩めるために、一般的に任意の量のトルクを加えることができる。
【００４３】
一方で、アクチュエータ６００の動作時には、下方移動ストッパ６４８が、レバー６２２のヨーク６２８から遠ざかるように、図６に実線で示されている位置へと後退する。下方移動ストッパ６４８がそのように位置するとき、レバー６２２を、図１および２に示したアクチュエータ１００に関して上述したやり方と同一のやり方で、ダイアフラム棒６１８の直線移動につれて第一および第二の位置の間を回転させることができる。
【００４４】
図７が、本発明の原理に従って構成された回転バルブアクチュエータ７００のさらに別の実施の形態の側面図を示している。回転バルブアクチュエータ７００が、その一部として、ハウジング７０２および駆動アセンブリ704を備えている。駆動アセンブリ７０４は、図１〜２に関して上述したやり方と同一のやり方でダイアフラムサブアセンブリ（図示されていない）のダイアフラム棒７１８へと作動可能に接続されるように構成されたレバーサブアセンブリ７１２を備えている。レバーサブアセンブリ７１２は、上述および図１および２に示したレバーサブアセンブリ１１２と同一である。具体的には、レバーサブアセンブリ７１２は、レバー７２２、コレット７２４、および引きナット７２５を備えている。レバー７２２は、本体部７２６、ヨーク７２８、およびストッパ面７４０ａを定めているストッパボス７４０を備えている。さらに、ストッパボス７４０が、ストッパ面７４０ａの反対側に配置されたロック面７４０ｂをさらに定めている。より具体的には、ストッパ面７４０ａが、図７において矢印Ａ１によって示されているレバー７２２の第一の回転方向を向いている。ロック面７４０ｂは、図７において矢印Ａ２によって示されているレバー７２２の第二の回転方向を向いている。第一の回転方向Ａ１は、第二の回転方向Ａ２と反対である。
【００４５】
ハウジング７０２は、当該ハウジング７０２が第一、第二、および第三のねじ穴７４４ａ，７４４ｂ，７４４ｃを定めている点で、図５に関して上述したハウジング５０２と同一である。第一および第二のねじ穴７４４ａ，７４４ｂが、図５に示したアクチュエータの第一および第二のねじ穴５４４ａ，５４４ｂと同一に向けられている一方で、第三のねじ穴７４４ｃは、図７の向きに関してハウジング７０２の上部に配置されている。
【００４６】
したがって、図示のとおり、第一のねじ穴７４４ａが、上方移動ストッパ７４６を収容し、第二のねじ穴７４４ｂが、下方移動ストッパ７４８を保持する。ここに開示の実施の形態においては、上方移動ストッパ７４６および下方移動ストッパ７４８が、図１〜５に関して上述した上方移動ストッパ１４６，３４６，４４６，５４６ならびに下方移動ストッパ１４８，３４８，４４８，および５４８と同一である。さらに、第三のねじ穴７４４ｃが、ロックストッパ７４７を収容している。ここに開示の実施の形態においては、ロックストッパ７４７が、ねじ山付きのボルトを備えているが、ロックナットは備えていない。図７に示した実施の形態においては、ロックストッパ７４７のねじ山付きのボルトが、上方移動ストッパ７４６および下方移動ストッパ７４８よりも長い。しかしながら、別の実施の形態においては、ハウジング７０２およびレバー７１２の実際の構成に応じて、ロックストッパ７４７の長さが、上方移動ストッパ７４６および下方移動ストッパ７４８のいずれかまた両方と同じでも、あるいはより短くてもよい。
【００４７】
図７に示されるとおり、上方移動ストッパ７４６が、レバー７２２が第一の位置にあるときにレバー７２２のストッパボス７４０のストッパ面７４０ａに係合する。さらに、ロックストッパ７４７が、レバー７２２が第一の位置にあるときにレバー７２２のストッパボス７４０のロック面７４０ｂに係合する。その結果、上方移動ストッパ７４６およびロックストッパ７４７が、レバー７２２を第一の位置からの回転に関して固定する。このやり方でレバー７２２を固定した状態で、技術者は、レバー７２２を動かすことなく引きナット７２５を締め付け、および／または緩めるために、一般的に任意の量のトルクを加えることができる。
【００４８】
一方で、アクチュエータ７００の動作時には、図１および２に示したアクチュエータ１００に関して上述したやり方と同一のやり方で、レバー７２２がダイアフラム棒７１８の直線移動に応答して回転できるよう、ロックストッパ７４７が第三のねじ穴７４４ｃから取り除かれる。あるいは、ロックストッパ７４７をハウジング７０２から完全に取り除く代わりに、ロックストッパ７４７を、単にアクチュエータ７００の動作時にレバー７２２の回転を妨げることがないように第三のねじ穴７４４ｃから後退させるだけでよい。
【００４９】
図８が、本発明の原理に従って構成された回転バルブアクチュエータ８００のさらに別の実施の形態の側面図を示している。回転バルブアクチュエータ８００が、その一部として、ハウジング８０２および駆動アセンブリ８０４を備えている。駆動アセンブリ８０４は、図１〜２に関して上述したやり方と同一のやり方でダイアフラムサブアセンブリ（図示されていない）のダイアフラム棒８１８へと作動可能に接続されるように構成されたレバーサブアセンブリ８１２を備えている。レバーサブアセンブリ８１２は、図７に関して直前で述べたレバーサブアセンブリ７１２と同一である。具体的には、レバーサブアセンブリ８１２は、レバー８２２、コレット８２４、および引きナット８２５を備えている。レバー８２２は、本体部８２６、ヨーク８２８、ならびにストッパ面８４０ａおよびロック面８４０ｂを定めている上方ストッパボス８４０を備えている。
【００５０】
ハウジング８０２は、当該ハウジング８０２が上方移動ストッパ８４６および下方移動ストッパ８４８をそれぞれ保持する第一のねじ穴８４４ａおよび第二のねじ穴８４４ｂを定めている点で、図１，２，４，および６に関して上述したハウジング１０２，４０２，および６０２と同一である。ここに開示の実施の形態においては、上方移動ストッパ８４６および下方移動ストッパ８４８は、図１〜５および７に関して上述した上方移動ストッパ１４６，３４６，４４６，５４６，７４６および下方移動ストッパ１４８，３４８，４４８，５４８，７４８と同一である。
【００５１】
さらに、図８に示されているように、アクチュエータ８００は、Ｃ字クランプ８４９を含んでいるロックストッパ８４７を備えている。Ｃ字クランプ８４９は、Ｃ字形の本体８４９ａとねじ山付きのシャフト８４９ｂとを有している広く公知の市販のＣ字クランプを備えている。
【００５２】
図８に示されるように、上方移動ストッパ８４６が、レバー８２２が第一の位置にあるときにレバー８２２のストッパボス８４０のストッパ面８４０ａに係合する。さらに、Ｃ字クランプ８４９が、レバー８２２が第一の位置にあるときに、ねじ山付きのシャフト８４９ｂを第一のねじ穴８４４ａおよび上方移動ストッパ８４６に近い位置でハウジング８０２に係合させつつ、本体８４９ａをストッパボス８４０のロック面８４０ｂに係合させるように構成されている。このようにして、上方移動ストッパ８４６およびロックストッパ８４７が、レバー８２２を第一の位置からの回転に関して固定する。このやり方でレバー８２２を固定した状態で、技術者は、レバー８２２を動かすことなく引きナット８２５を締め付け、および／または緩めるために、一般的に任意の量のトルクを加えることができる。
【００５３】
一方で、アクチュエータ８００の動作時には、ロックストッパ８４７が、ストッパボス８４０のロック面８４０ｂおよびハウジング８０２から外される。そのように構成され、レバー８２２が、図１および２に示したアクチュエータ１００に関して上述したやり方と同一のやり方で、ダイアフラム棒818の直線移動に応答して回転することができる。ここに開示の実施の形態においては、技術者が、ねじ山付きのシャフト８４９ｂをＣ字形の本体８４９ａに対して回転させることによって、最初にねじ山付きのシャフト８４９ｂをハウジング８０２から離して、Ｃ字形の本体８４９ａをストッパボス８４０から離すことができるようにすることで、ロックストッパ８４７を取り外す。
【００５４】
以上、コレットを締め付け、および／または緩めるために、回転バルブアクチュエータのレバーを固定するための種々の装置を説明および図示したが、本発明は、本明細書に提示した実施例のいずれにも限定されない。むしろ、本発明は、本明細書に開示した主題ならびに以下の特許請求の範囲の技術的思想および技術的範囲に包含される他のすべての主題を含むものである。
【００５５】
例えば、上方移動ストッパ２４６〜８４６および下方移動ストッパ２４８〜８４８を、本明細書においては、ねじ山付きのボルトを備えるものとして開示したが、本発明の別の実施の形態は、意図される目的を果たすべく機能することができる一般的に任意の装置を備えることができる。さらに、ロックストッパ２４７〜８４７を、ねじ山付きのボルト、ブロック、またはクランプのいずれかを備えるものとして開示したが、本発明の他の実施の形態は、レバー２２２〜８２２を固定することができる一般的に任意の装置を備えているロックストッパ２４７〜８４７を含むことができる。例えば、図４に示した実施の形態を参照すると、ストッパブロック４４７は、必ずしも実際にブロックを備える必要はなく、むしろ、ロックボス４５２とハウジング４０２との間の支持をもたらすことができるボールベアリングまたは他の任意の装置を含むことができる。さらに、図３および５〜７に示した実施の形態を参照すると、ロックストッパ３４７および５４７〜７４７は、必ずしもねじ山付きのボルトを備える必要はなく、むしろ、スライドピン、戻り止め機構つきのスライドピン、または意図される機能および結果をもたらすことができる他の任意の装置を備えることができる。
【００５６】
さらに、本明細書の開示においては、アクチュエータ２００〜８００を、「上方」位置として定義される第一の位置にロックされるように構成されたレバーサブアセンブリ２１２〜８１２を有するものとして説明したが、アクチュエータ２００〜８００の別の実施の形態を、「下方」位置として定めることができる第二の位置に固定されるように構成することが可能である。最後に、本明細書は、第一の位置をアクチュエータ２００〜８００の「上方」位置として定義し、第二の位置を「下方」位置として定義しているが、アクチュエータ２００〜８００の別の実施の形態は、第一の位置を「下方」位置として定義し、第二の位置を「上方」位置として定義することができる。具体的には、添付の特許請求の範囲における第一および第二の位置への言及は、本明細書の記載によって限定されることなく、むしろ、同じ位置をも含むことができる任意の２つの位置を含むものと定義されるべきである。
【００５７】
最後に、本明細書は、図1に示したアクチュエータ100の文脈において本発明を説明しているが、アクチュエータ100は、本発明とともに使用されるように構成することができるアクチュエータの一例にすぎない。本発明は、本明細書に開示のアクチュエータには限られず、むしろ、特許請求の範囲によって定義されるとおりの任意のアクチュエータまたは他の任意の装置に合わせることが可能である。
【図１】
2010534309.tif 000003
【図２Ａ】
2010534309.tif 000004
【図２Ｂ】
2010534309.tif 000005
【図３】
2010534309.tif 000006
【図４】
2010534309.tif 000007
【図５】
2010534309.tif 000008
【図６】
2010534309.tif 000009
【図７】
2010534309.tif 000010
【図８】
2010534309.tif 000011
【国際調査報告】
2010534309.tif 000012
2010534309.tif 000013
2010534309.tif 000014